(57)【特許請求の範囲】
【請求項１】
放射性物質を含むケース（３）を収容するための長期貯蔵パッケージ（１）を貯蔵する長期貯蔵サイト（１００）であって、
前記長期貯蔵パッケージは、最大高（He）を有して、長期貯蔵の間、垂直に貯蔵されるとともに、前記ケースを収容するハウジング（４）の範囲を定めるパッケージボディ（２）を含み、前記パッケージボディは、上部端（２ａ）および底部端（２ｂ）がそれぞれ着脱可能なヘッドカバー（６）およびパッケージベースにより閉じられ、
前記パッケージベースが、着脱可能なベースカバー（８）の形態をとり、前記パッケージボディ（２）の前記底部端（２ｂ）を介して、前記ケースのヘッドが移動方向の前方に位置する状態で、前記ケース（３）の挿入を可能として、前記ヘッドカバー（６）が最上部に位置するように垂直姿勢で貯蔵されて、前記長期貯蔵パッケージを垂直状態で運搬する、最大高（Hsc）の位置にフック（１１２）を有するリフト（１１０）を有し、（Hsc）／（He）比が厳密に２未満であることを特徴とする長期貯蔵サイト（１００）。
【請求項２】
前記ハウジング（４）と前記長期貯蔵パッケージの外部との間の空気の循環用の換気手段を含むこと、を特徴とする請求項１に記載の長期貯蔵パッケージ（１）を貯蔵する長期貯蔵サイト（１００）。
【請求項３】
前記パッケージボディ（２）が、少なくとも200mmの厚さを有すること、を特徴とする請求項１または２に記載の長期貯蔵パッケージ（１）を貯蔵する長期貯蔵サイト（１００）。
【請求項４】
前記長期貯蔵パッケージの回転フレーム（１０８）を有し、前記長期貯蔵パッケージ（１）のそれぞれを水平姿勢から垂直姿勢に回転可能とすること、を特徴とする請求項１〜３のいずれか１項に記載の長期貯蔵サイト（１００）。
【請求項５】
天井が閉じられた長期貯蔵設備であること、を特徴とする請求項１〜４のいずれか１項に記載の長期貯蔵サイト（１００）。
【請求項６】
放射性物質を含むケースを、原子炉から前記長期貯蔵サイトまで運搬する運搬パッケージから、請求項１〜４のいずれか１項に記載の長期貯蔵パッケージに運搬する運搬方法であって、
以下の連続するステップを含むこと、を特徴とする運搬方法：
−前記各長期貯蔵パッケージおよび運搬パッケージを水平姿勢にガイドし、
−前記運搬パッケージから着脱可能なヘッドカバーを外すとともに、前記長期貯蔵パッケージから前記着脱可能なベースカバーを外し、
−前記着脱可能なベースカバーの取り外しにより開いた状態の前記パッケージボディの前記底部端を介して、前記ケースを前記長期貯蔵パッケージの前記ハウジングに導入し、
−前記着脱可能なベースカバーを前記ケースを収容する前記パッケージボディに再配置して、前記パッケージボディの前記底部端を再度閉じ、
−前記長期貯蔵パッケージを、前記パッケージベースが床に対向するように、垂直位置に回転させる。
【発明の詳細な説明】
【技術分野】
【０００１】
本発明は、例えば、照射済核燃料集合体、核廃棄物等の、放射性物質を含むケースを収容する、長期貯蔵パッケージに関する。
【０００２】
また、本発明は、それぞれが放射性物質を含むケースを収容し、着脱可能なヘッドカバーを上部に備えて垂直姿勢で貯蔵される長期貯蔵パッケージを多数含む、放射性物質の長期貯蔵サイトに関する。
【０００３】
また、本発明は、放射性物質を含むケースの、運搬パッケージから長期貯蔵パッケージへの運搬プロセス（運搬方法）に関する。
【背景技術】
【０００４】
核燃料の集合体が、原子力発電所での利用後に照射されると、核燃料の集合体は、長期貯蔵サイトでの４０年から６０年の長期にわたる貯蔵に先立ち、ケースである密閉容器に収容される。
【０００５】
ケースを貯蔵サイトへ確実に運搬するために、ケースは、まず、輸送パッケージまたは運搬パッケージに収容され、貨物集合体を形成する。ケースのヘッドは、運搬ケースの最上端に配置される。実際は、核燃料集合体のケースへの最初の積み込み作業およびケースから運搬パッケージへの続く運搬作業は、池の中の水面下で、垂直に行われる。ケースに核燃料集合体が積み込まれる際に、ケースのヘッドが底部に位置するようにして、ケースを反転することは誰も想像し得ず、従って、ケースのヘッドが下方に位置する状態でケースを運搬パッケージに収めることはできない。
【０００６】
続いて、全貨物が貯蔵サイトへ送られ、このパッケージケースを収容ハウジングへ移動するために運搬プロセスが用いられる。この収容ハウジングは、長期貯蔵パッケージの中に備えられ、または、特許文献１で知られるコンクリートモジュールの中に備えられる。この後者の場合は、ケースの運搬プロセスが可能な、水平収容ハウジングを提案している意味で興味深い。実際は、通常、ケースを含む運搬パッケージと、コンクリートモジュールの収容ハウジングとを、双方が水平に配置された状態で並べ、ケースをパッケージハウジングから収容ハウジングへ移動するために、このケースを押したり引いたりする。この運搬技術は、特許文献１でも知られている。
【０００７】
このようなシステムの主な短所は、コンクリートモジュールのハウジングにおいて、ケースのヘッドがケースの運搬方向において先頭に位置した状態で、ケースの水平運搬が行われ、運搬が終了すると、このケースのヘッドが、コンクリートモジュールの基部に位置することである。その結果、コンクリートモジュール内での長期貯蔵の間、介入要因が随意的に存在するケースのヘッドに、作業者が近づくのが非常に困難になる。
【先行技術文献】
【特許文献】
【０００８】
【特許文献１】US 4 780 269
【発明の概要】
【発明が解決しようとする課題】
【０００９】
本発明の主目的は、先行技術の実現に比べて、デザインが前述した短所を解消する、長期貯蔵パッケージを提案することである。
【課題を解決するための手段】
【００１０】
これを達成するために、本発明の最初の目的は、放射性物質を含むケースを収容するための長期貯蔵パッケージであって、前記パッケージは、前記ケースを収容するハウジングの範囲を定める側部ボディ（パッケージボディ）を含み、前記パッケージボディは、上部端および底部端がそれぞれ着脱可能なヘッドカバーおよびパッケージベースにより閉じられ、前記パッケージベースが、着脱可能なベースカバーの形態をとり、前記パッケージボディの前記底部端を介して、前記ケースのヘッドが移動方向の前方に位置する状態で、前記ケースの挿入を可能とする。
【００１１】
このタイプの着脱可能なベースカバーは、前記パッケージボディの前記底部端を介して、前記ケースのヘッドが移動方向の前方に位置する状態で、前記ケースの挿入を可能とする。その結果、ケースの運搬が完了すると、そのヘッドは、貯蔵パッケージの上部端の高さに配置され、長期貯蔵期間の間に、取り扱い／確認のためにあり得る介入を特に容易にする。
【００１２】
上述したように、固定底を備えた運搬パッケージに配置されるケースは、本発明の貯蔵パッケージに水平に積み込まれ、貯蔵パッケージは、このパッケージの底部によりケースを積み込むことにより、ケースのヘッドがパッケージのヘッドに配置された状態で、垂直な、長期保存姿勢となるように、回転される。
【００１３】
また、本発明は、全スペースを最適化するために、長期貯蔵パッケージが垂直に貯蔵される長期貯蔵サイトの中で用いられる場合、特に興味深い。また、本発明は、垂直貯蔵サイトが、垂直方向でのケースの運搬を妨げる、リフトフックへの高さ制限を有する場合、特に興味深く、これは、長期貯蔵設備で知られているサイトの場合のように、サイトの天井が開いているか閉じているかを問わない。
さらに、本発明は、放射性物質の長期貯蔵サイトであって、前記長期貯蔵サイトは、上述した多数の長期貯蔵パッケージを含み、それぞれが放射性物質を含むケースを収容し、前記着脱可能なヘッドカバーを最上部に備えて垂直姿勢で貯蔵される長期貯蔵サイトに関する。
この長期貯蔵サイトは、パッケージのリフトを含み、パッケージは最大高（He）を有し、前記リフトは、フックまでの最大高（Hsc）を規定するフックを有し、（Hsc）／（He）比が厳密に２未満であるのが好ましく、垂直でのケースの運搬を妨げる。
【００１４】
貯蔵パッケージは、前記ケースハウジングと前記パッケージの外部との間の空気の循環を可能とする換気手段を含み、この空気の循環は、ケースに含まれる放射性物質により発せられる熱の一部を集めて除去するために用いられるのが好ましい。
【００１５】
さらに、前記パッケージボディは、物理的防御のために、少なくとも200mmの厚さを有する。ここで、そのような長期貯蔵パッケージは、運搬／貯蔵パッケージに比べて、公道での核物質の運搬に対する規定された安全性要求、特に、非変形目標物での特に制限的ないわゆる自由落下試験等、を満たす必要がない。しかしながら、貯蔵パッケージのデザインは、通常、火災が発生する航空機衝突後、または地震の際に、ケースの完全性を保つことを可能とする必要がある。
【００１８】
また、サイトは、パッケージの回転フレームを有し、前記貯蔵パッケージのそれぞれを水平姿勢から垂直姿勢に回転可能とすることが好ましい。従って、貯蔵パッケージは水平で各ケースが積み込まれ、回転フレーム上で垂直な貯蔵姿勢に回転される。
【００１９】
サイトは、本発明の範囲を逸脱することなく、代替的に開放天井のサイトとなり得ても、天井が閉じられた長期貯蔵設備であるのが好ましい。
【００２０】
さらに、本発明の他の目的は、放射性物質を含むケースの、原子炉から長期貯蔵サイトまで運搬する運搬パッケージから、上述した長期貯蔵パッケージへの運搬方法であって、運搬方法は、以下の連続するステップを含む。
−前記各長期貯蔵パッケージおよび運搬パッケージを水平姿勢にガイドし、
−前記運搬パッケージから着脱可能なヘッドカバーを外すとともに、前記長期貯蔵パッケージから前記着脱可能なベースカバーを外し、
−前記着脱可能なベースカバーの取り外しにより開いた状態の前記パッケージボディの前記底部端を介して、前記ケースを前記長期貯蔵パッケージの前記ハウジングに導入し、
−前記着脱可能なベースカバーを前記ケースを収容する前記パッケージボディに再配置して、前記パッケージボディの前記底部端を再度閉じ、
−前記長期貯蔵パッケージを、前記パッケージベースが床に対向するように、垂直位置に回転させる。
【００２１】
本発明の他の利点および特性は、以下の限定されない詳細説明に示される。
【００２２】
本説明は、添付図面により行われる。
【図面の簡単な説明】
【００２３】
【図１】本発明の好ましい実施形態による、放射性物質の長期貯蔵サイトの側立面図を示す。
【図２】図１に示すサイトの平面図を示す。
【図３】本発明の好ましい実施形態による、放射性物質を含むケースを収容するための長期貯蔵パッケージを示す、部分分解斜視図を示す。
【図４】明瞭化のためにケースおよびパッケージの着脱可能な底部を外した、図３に示すパッケージの異なる観察角度での部分斜視図を示す。
【図５ａ】本発明の好ましい実施形態による、放射性物質を含むケースの運搬プロセスの複数の連続するステップを示す側立面図を示す。
【図５ｂ】本発明の好ましい実施形態による、放射性物質を含むケースの運搬プロセスの複数の連続するステップを示す側立面図を示す。
【図５ｃ】本発明の好ましい実施形態による、放射性物質を含むケースの運搬プロセスの複数の連続するステップを示す側立面図を示す。
【図５ｄ】本発明の好ましい実施形態による、放射性物質を含むケースの運搬プロセスの複数の連続するステップを示す側立面図を示す。
【図５ｅ】本発明の好ましい実施形態による、放射性物質を含むケースの運搬プロセスの複数の連続するステップを示す側立面図を示す。
【図５ｆ】本発明の好ましい実施形態による、放射性物質を含むケースの運搬プロセスの複数の連続するステップを示す側立面図を示す。
【図５ｇ】本発明の好ましい実施形態による、放射性物質を含むケースの運搬プロセスの複数の連続するステップを示す側立面図を示す。
【図５ｈ】本発明の好ましい実施形態による、放射性物質を含むケースの運搬プロセスの複数の連続するステップを示す側立面図を示す。
【発明を実施するための形態】
【００２４】
図１および図２は、本発明の好ましい実施形態による、放射性物質の長期貯蔵サイト１００を示している。サイト１００は、放射性物質が約２０〜６０年の長期にわたって貯蔵される目的の“貯蔵設備”の形態を与える、天井１０２により、上部が閉じられている。
【００２５】
貯蔵設備１００は、本発明の目的であり、以降で詳述される、多数の長期貯蔵パッケージ１が、垂直に置かれる、床１０４を有している。一般に、各パッケージは、照射済核燃料集合体等の放射線物質を含むケースを収容し、パッケージおよびケースは、パッケージの着脱可能なヘッドカバーおよびケースの上部が天井１０２の方向において上に位置する垂直姿勢で貯蔵される。参考までに、ケースのヘッドは、ケースの密閉を確認可能とする、少なくとも一つのカバー上の検査用開口部の存在により、ケースの底部と区別される。さらに、ケースの底部は、通常、ケースの側部と一体的に作られ、ヘッドは、放射性物質の注入後に、この側部に取り付けられる、カバーの形態をなす。
【００２６】
パッケージ１を垂直に貯蔵するこの方法は、床１０４と天井１０２との間に位置する貯蔵スペース１０６の全スペースを最大限に利用し、従って、このスペース１０６に同時に貯蔵されるパッケージ１の数を最大化する。参考までに、パッケージ１は、平行に配列されるのが好ましい。
【００２７】
さらに、貯蔵設備１００は、以下に特定する場合の運搬作業の間に、各貯蔵パッケージを水平姿勢から垂直姿勢に回転させる、パッケージを回転するフレーム１０８を備えている。
【００２８】
さらに、貯蔵設備１００は、特に、貯蔵スペース１０６の中でパッケージ１を垂直姿勢に保った状態で移動可能とする、パッケージのリフト１１０を含んでいる。
【００２９】
通常、リフト１１０は、フック１１２を有し、フックまでの最大高Hscを規定する。さらに、各パッケージ１は、好ましくは常に同じ最大高Heを有している。参考までに、この高さHeは、パッケージの縦軸の方向に沿うものとされ、パッケージは、パッケージがスペース１０６に長期貯蔵される場合に、垂直に平行となる。
【００３０】
本発明の特有の特徴の一つは、高さHscとHeの比が、厳密に2未満であり、好ましくは1.5〜1.9であることである。貯蔵設備に妥当な高さを与えるこの特性は、それでもなお、貯蔵スペース１０６の中でのケースの貯蔵パッケージへの垂直な運搬が、ケースを収容し床１０４に垂直に置かれるこのパッケージの上の高さが過度に低いため、不可能であることを示している。
【００３１】
パッケージの上部に空いている低い高さにかかわらず、貯蔵設備１００の中でのケースの運搬を保証するため、パッケージは、図３および図４を参照して説明される、本発明に特有の、格別なデザインを有している。
【００３２】
図３および図４は、放射性物質を含むケース３を収容する目的の貯蔵パッケージ１を示しており、このパッケージは、本発明の好ましい実施形態である。
【００３３】
パッケージ１は、全体として、シリンダー形状でありケース３を収容するパッケージハウジング４を規定する側部中空パッケージボディ２、ボディ２の上部端２ａの位置でハウジング４を閉じる着脱可能なヘッドカバー６、ボディ２の他端である底部端２ｂの位置でハウジング４を閉じるパッケージベース８を含む。
【００３４】
専門家には既知であるように、縦軸１２を有するこのような長期貯蔵パッケージでは、ハウジング４は、放射性物質を閉じ込める筐体を構成せず、この筐体は、ケース自体により事実上規定される。同様に、このパッケージのデザインは、中性子防御、ガンマ放射線からの防御、および、機械的抵抗力の通常の機能を保証する。このため、中空側部ボディ２の厚さは、少なくとも200mmで、鋼でできていることが特に保証され得る。
【００３５】
本発明の特有の特徴の一つは、パッケージベース８が、着脱可能なベースカバーの形態をとり、その結果、例えばボルト締め等により、可逆的に側部ボディ２に組み付けられることを保証することを含む。以下で詳述するように、ケースの運搬プロセスの間、このことは、パッケージボディ２の底部端２ｂを介してケースを挿入可能とする。
【００３６】
さらに、パッケージ１は、パッケージの移動を可能とする、リフト１１０のフック１１２に懸架されたスプレッダー（不図示）と協働する、トラニオンとして知られる多数の操作エレメント１４を含んでいる。それらは、側部ボディ２の高い位置および低い位置に、外側に放射状に突出して、４つ以上あるのが好ましい。
【００３７】
さらに、パッケージ１は、パッケージが垂直姿勢の場合、キャビティ４とパッケージの外部との間の還流による空気の循環に用いられる換気手段を含んでいる。空気の循環を与え、ケースに含まれる放射性物質により発せられる熱の一部を集めて除去する、この特別な手段は、当業者に既知のどのような手段で行われてもよい。
【００３８】
参考までに、横方向の流路１７が、パッケージの頭部および底部端に設けられ、パッケージの外部をキャビティ４と連通させる。これらの横方向の流路１７は、例えば、図３および４に示すように、側部ボディ２の上部端２ａおよび底部端２ｂに設けることができる。
【００３９】
従って、同図に矢印で示されるように、外気が、底部端２ｂの横方向流路１７を介してパッケージのボディ２を通過し、ケース３とキャビティ４の内壁との間の空いている環状空間に入る。
【００４０】
この時点から、空気は、ケースに含まれる放射性物質により発せられる熱を集め、その温度により、上昇する。上昇経路に沿って、ケースに隣接する空気は、放射性物質により発せられる熱を集めて、熱が除去され、上部端２ａの横方向流路１７を介して環状空間から逃げる。これらの流路１７を離れた空気は、パッケージの外部の環境に放出される。説明した現象が連続して起こることに留意されたい。
【００４１】
着脱可能なベースカバーを外した図４は、ハウジング４の範囲を定める内部表面が、ケースをハウジング４に挿入する際にケースを側部ボディ２に対してスライド可能とする手段を備えていることを示しており、これらの手段は、例えば、縦軸１２の方向に従うとともにケースのスライド方向に対応して延びる、平行な傾斜台／レール１５の形態を取る。
【００４２】
ここで、本発明は、放射性物質を含むそのようなケース３の、運搬パッケージから前述した長期貯蔵パッケージ１のハウジング４への運搬プロセス（運搬方法）にも関する。参考までに、運搬パッケージは、同一の核サイトでの例えば原子炉と長期貯蔵サイトとの間のそのようなケースの運搬を保証するためだけにデザインされたケースであり、このパッケージは、公道を通るようにデザインされておらず、または、専門家には既知であるように、公道を通るように特別にデザインされた、放射性物質の運搬／貯蔵パッケージであることがより好ましい。
【００４３】
図５ａ〜５ｈは、本発明の好ましい実施形態による、運搬プロセス（運搬方法）の複数の連続するステップを示している。
【００４４】
図５ａから明らかなように、長期貯蔵パッケージ１は、貯蔵設備１００において、水平姿勢で、回転フレーム１０８に支持されている。側部ボディ２は、フレーム１０８のプラットフォーム２４に支持され、２つの下部トラニオン１４が、フレームの垂直回転アーム２８の上部端で規定される開口受容部２６に載っている。
【００４５】
この時点で、２つのカバー６および８が、ボディ２に取り付けられ、空のハウジング４を閉じる。
【００４６】
さらに、運搬されるケース３を含む運搬パッケージ３０が、運搬パッケージ３０が水平に置かれる運搬車両３２により、着脱可能なベースカバー８に対向してガイドされ、ケース頭部３ａが、着脱可能なベースカバー８の方向に配置される。間隔を置いて対向する２つのパッケージ３０、１の配置は、図５ａに示すように、それぞれの縦軸３４、１２が、実質的に一体化されるように行われる。
【００４７】
図５ｂに示す継続ステップは、運搬パッケージ３０からの着脱可能なヘッドカバー３６の除去と、貯蔵パッケージ１からの着脱可能なヘッドカバー８の除去を含む。次に、専門家に既知の標準的な車両３２は、パッケージ３０のヘッドを、パッケージ１のボディ２の底部端２ｂに接触して配置することにより、運搬パッケージ３０が貯蔵パッケージ１にドッキングするように動かされる。
【００４８】
接触がなされると、例えば、ハウジングジャーナル用のノッチを有するビーム３８を用いる等、２つのパッケージのハンドリングジャーナルの機械的な連結により、積み込みが実施可能となる。参考までに、図５ｃに示すように、各ビーム３８（側立面図のため一方のみ見える）は、パッケージ３０の上部ジャーナル、および、パッケージ１の下部ジャーナル１４と協働する。
【００４９】
続くステップは、着脱可能なベースカバーの取り外しにより開放されたパッケージボディ２の底部端２ｂを介しての、ケース３のハウジング４への導入からなる。このために、車両３２に配置され、縦軸１２、３４の方向にケースを押すことにより置き換えを行う、伸縮自在のアーム４０のような、運搬手段が駆動される。この置き換えは、図５ｄに示すように、上部３ａを前方として、ケース３を徐々にハウジング４内に挿入させる。また、水平に寝ているケースを移動させるために、ケース上部３ａが、パッケージ１に取り外さずに残る着脱可能なヘッドカバー６に対向して、パッケージボディの上部端２ａの位置に配置される。参考までに、ケース３の水平方向の移動の間、側部ボディ２の中へのスライドは、上述した、ケースが置かれる傾斜台の存在により、促進される。
【００５０】
次に、積み込みおよびドッキングが終わると、図５ｅに示すように、ケース３が新たに積み込まれた貯蔵パッケージ１からパッケージ３０を移動させるために、車両３２が後退される。
【００５１】
続くステップは、図５ｆに示すように、着脱可能なベースカバー８をケースを収容するパッケージボディ２に再度配置することにより、パッケージボディ２の底部端２ｂを再度閉じること、および、着脱可能なヘッドカバー３６を空のパッケージ３０に再度配置することにより、パッケージ３０の上部端を再度閉じることからなる。
【００５２】
図５ｇは、パッケージベース８が貯蔵設備の床１０４と対向するように、貯蔵パッケージ１を垂直姿勢とする次のステップを示す。これを行うために、リフト（図示せず）が上部ジャーナル１４と協働し、下部ジャーナル１４は、各受容部２６に格納されたままである。リフトを動作させると、受容部２６に支持された下部ジャーナル１４の共通軸に従って、矢印４２に示すように、パッケージ１が回転する。パッケージ１のこの回転動作により、ヘッドが徐々に上方にガイドされ、このパッケージは、図５ｈに示すように、ヘッドカバー６およびケースのヘッドが、同時に上方に、すなわち貯蔵設備の天井に位置する、垂直姿勢をとる。
【００５３】
リフトは、貯蔵スペース内の貯蔵位置にパッケージをガイドするために、ケースが積まれたパッケージ１の移動を継続することができ、上部ジャーナル１４によりパッケージをつるしておくことは、垂直姿勢での移動を保証する。
【００５４】
パッケージが回転フレーム１０８に水平姿勢で置かれた後、同じ運搬ステップが、次の貯蔵パッケージに対しても繰り返し可能である。
【００５５】
参考までに、本発明のパッケージの存在下にある当業者は、パッケージが垂直貯蔵姿勢にない場合でも、以下のエレメント−パッケージボディの上部端および底部端と、パッケージボディの上部および底部とを、確実に区別可能である。実際、これらのエレメントのそれぞれは、パッケージの姿勢によらず、当業者にそれらを認識させるデザインである。
【００５６】
例として、パッケージボディの上部端および底部端に、トラニオンが備えられる。底部端に備えられたものは、通常、パッケージの縦軸に対してオフセットしており、パッケージを底部端のトラニオンの軸回りで所望の方向に傾けられるように、図１および５ａ〜５ｇに示すように、トラニオンの軸およびパッケージの縦軸は、セカントではない。他方、これは、通常、軸がパッケージの縦軸を通過する上部端のトラニオンには当てはまらない。
【００５７】
さらに、パッケージは、通常、上部に、ケースの密閉性を確認するためのケーブルおよび／または他のデバイスを通すための、開口部を備える。
【００５８】
底部を保護する器具にダメージを与え得る、垂直姿勢でのパッケージ底部による直接支持を避けるために、特に着脱可能な底部が、パッケージボディの内部に凹んでいる場合、最終的に、当業者は、着脱可能なカバーを容易に区別可能である。このような場合、パッケージの垂直姿勢に悪影響を与えないように、底部は、縦軸上において、パッケージボディから外部に突出していない。他方、カバーは、図３に示すように、通常、縦軸上において、パッケージボディの上部端に関して、外部に突出している。専門家により、上述した本発明に対する様々な改良が、限定されない例により、行われ得る。
【図１】
0005524052.tif 000002
【図２】
0005524052.tif 000003
【図３】
0005524052.tif 000004
【図４】
0005524052.tif 000005
【図５ａ】
0005524052.tif 000006
【図５ｂ】
0005524052.tif 000007
【図５ｃ】
0005524052.tif 000008
【図５ｄ】
0005524052.tif 000009
【図５ｅ】
0005524052.tif 000010
【図５ｆ】
0005524052.tif 000011
【図５ｇ】
0005524052.tif 000012
【図５ｈ】
0005524052.tif 000013